【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
ホストシステムで動作するメッセージリダイレクト方法であって、
該ホストシステムにおいて１つ以上のリダイレクトイベントを設定する工程と、
該ホストシステムにおいてリダイレクトイベントが発生したことを検出し、リダイレクトトリガを生成する工程と、
該ホストシステムにおいて複数のメッセージ送信元からのメッセージを受信する工程と、
該リダイレクトトリガに応答して、該ホストシステムから該ホストシステムと関連するモバイルデータ通信デバイスへと該受信されたメッセージを連続的にリダイレクトする工程と、
該ホストシステムにおいて該モバイルデータ通信デバイスからの返答メッセージを受信し、該ホストシステムのアドレス情報を用いて該返答メッセージを設定する工程と、
該設定された返答メッセージを該ホストシステムから該複数のメッセージ送信元へと送信する工程と、
を包含する方法。
【請求項２】
モバイルデータ通信デバイスからメッセージをリダイレクトするコンピュータシステムであって、
メッセージの送受信が可能なホストシステムと、
該ホストシステムと共に動作することが可能なリダイレクタコンポーネントであって、メッセージ受信者を送信先とする、メッセージ送信元によって該モバイルデータ通信デバイスで生成されたメッセージを受信すると、該受信されたメッセージが該モバイルデータ通信デバイスではなく該ホストシステムで生成されたように見えるように、該受信されたメッセージのアドレス情報を設定する、リダイレクタコンポーネントと
を備えるコンピュータシステム。
【請求項３】
モバイルデータ通信デバイスからメッセージをリダイレクトするコンピュータシステムであって、
メッセージの送受信が可能なホストシステムであって、メッセージ送信元のＥメールアドレスは該ホストシステムと関連付けられた、ホストシステムと、
該ホストシステムと共に動作可能なリダイレクタコンポーネントであって、メッセージ受信者を送信先とする、メッセージ送信元によって該モバイルデバイスで生成されたメッセージを受信すると、該受信されたメッセージをメッセージ受信者へとリダイレクトする前に、該受信されたメッセージが該ホストシステムと関連する該メッセージ送信元のＥメールアドレスを用いるように該受信されたメッセージのアドレス情報を設定することにより、該モバイルデバイスまたは該ホストシステムのどちらかで生成されたメッセージが該ホストシステムと関連するメッセージ送信元のＥメールアドレスを共用できるようにする、リダイレクタコンポーネントと、
を備えるコンピュータシステム。
【請求項４】
前記設定された受信メッセージ内の「ｆｒｏｍ」Ｅメールアドレスフィールドは、前記ホストシステムと関連するメッセージ送信元のＥメールアドレスである、請求項３に記載のコンピュータシステム。
【請求項５】
前記設定された受信メッセージ内の「ｒｅｐｌｙ  ｔｏ」Ｅメールアドレスフィールドは、前記ホストシステムと関連するメッセージ送信元のＥメールアドレスである、請求項４に記載のコンピュータシステム。
【請求項６】
前記設定された受信メッセージに付加される記述子であって、該メッセージ受信者に対して、該メッセージが前記ホストシステムではなく前記モバイルデータ通信デバイスにおいて生成されたことを示す記述子をさらに備える、請求項５に記載のコンピュータシステム。
【請求項７】
モバイルデータ通信デバイスからメッセージをリダイレクトする方法であって、
メッセージの送受信が可能なホストシステムを提供する工程と、
該ホストシステムと共に動作可能なリダイレクタコンポーネントであって、メッセージ受信者を送信先とするメッセージ送信元により該モバイルデータ通信デバイスで生成されたメッセージを受信すると、該受信されたメッセージが該モバイルデータ通信デバイスではなく該ホストシステムにおいて生成されたように見えるように、該受信されたメッセージのアドレス情報を設定するリダイレクタコンポーネントを提供する工程と、
を包含する方法。
【請求項８】
前記設定する工程は、前記ホストシステムと関連するメッセージ送信元のＥメールアドレスとなる前記設定された受信メッセージ内の「ｆｒｏｍ」Ｅメールアドレスフィールドを提供する、請求項７に記載の方法。
【請求項９】
前記設定工程は、前記ホストシステムと関連するメッセージ送信元のＥメールアドレスとなる前記設定された受信メッセージ内の「ｒｅｐｌｙ  ｔｏ」Ｅメールアドレスフィールドを提供する、請求項８に記載の方法。
【請求項１０】
前記設定工程は、前記メッセージ受信者に対して、該メッセージは前記ホストシステムではなく前記モバイルデータ通信デバイスにおいて生成されたことを示す前記設定された受信メッセージに付加される記述子をさらに付加する、請求項９に記載の方法。
【請求項１１】
メッセージ受信者を送信先とするメッセージ送信元によるモバイルデータ通信デバイスからのメッセージをリダイレクトする方法であって、
該メッセージ受信者を送信先とするメッセージ送信元により該モバイルデータ通信デバイスにおいて生成されたメッセージを、ホストシステムと関連するリダイレクタコンポーネントにおいて受信する工程であって、該ホストシステムにおいて該メッセージ送信元により生成されたメッセージは第１のアドレスを用いる、工程と、
該受信されたメッセージが、該メッセージ送信元の第１のアドレスを、該メッセージの発生源のアドレスとして用いるように該受信されたメッセージのアドレス情報を設定する工程であって、これにより、該モバイルデータ通信デバイスまたは該ホストシステムのいずれかにおいて生成されたメッセージが該メッセージ送信元の第１のアドレスを共用することを可能にする、工程と、
該設定された受信メッセージを該メッセージ受信者へとリダイレクトする工程と、
を包含する方法。
【請求項１２】
前記メッセージ送信元の第１のアドレスは、前記ホストシステムと関連するＥメールアドレスである、請求項１１に記載の方法。
【請求項１３】
前記設定工程は、前記設定された受信メッセージ中の「ｆｒｏｍ」Ｅメールアドレスフィールドが、前記ホストシステムと関連する前記メッセージ送信元のＥメールアドレスであることを確実なものとする、請求項１２に記載の方法。
【請求項１４】
前記設定工程は、前記設定された受信メッセージ中の「ｒｅｐｌｙ  ｔｏ」Ｅメールアドレスフィールドが前記ホストシステムと関連する前記メッセージ送信元のＥメールアドレスとであることを確実なものとする、請求項１３に記載の方法。
【請求項１５】
ホストシステムとモバイルデータ通信デバイスとの間でメッセージをリダイレクトする方法であって、
該ホストシステムにおいて１つ以上のリダイレクトイベントを設定する工程と、
該ホストシステムにおいてリダイレクトイベントが発生したことを検出し、リダイレクトトリガを生成する工程と、
複数のメッセージ送信元から該ホストシステムにおける第１のアドレスへと向けられた入来メッセージを受信する工程と、
該リダイレクトトリガに応答し、該入来メッセージを該ホストシステムから該モバイルデータ通信デバイスへと連続的にリダイレクトする工程と、
該モバイルデータ通信デバイスにおいて生成された送出メッセージを該ホストシステムにおいて受信する工程と、
該第１のアドレスが該送出メッセージの発生源のアドレスとして用いられるように該送出メッセージのアドレス情報を設定する工程と、
該送出メッセージを該ホストシステムからメッセージ受信者へと送信する工程と、
を包含する方法。
【請求項１６】
モバイルデータ通信デバイスであって、
メッセージの送受信が可能なＥメールシステムと、
該Ｅメールシステムと共に動作可能なリダイレクタコンポーネントであって、該モバイルデータ通信デバイスで、メッセージ受信者を送信先とするメッセージ送信元によるメッセージが生成されると、該送信されたメッセージが該モバイルデータ通信デバイスではなく該メッセージ送信元のホストシステムにおいて生成されたように見えるように、該生成されたメッセージのアドレス情報を設定するリダイレクタコンポーネントと、
を備えるデバイス。
【請求項１７】
モバイルデータ通信デバイスであって、
メッセージの送受信が可能なＥメールシステムと、
該Ｅメールシステムと共に動作することが可能なリダイレクタコンポーネントであって、該モバイルデータ通信デバイスにおいてメッセージ受信者を送信先とするメッセージ送信元によるメッセージが生成されると、送信されたメッセージが、第２のＥメールシステムにおいて該メッセージ送信元により用いられたＥメールアドレスを用いるように、該生成されたメッセージのアドレス情報を設定するリダイレクタコンポーネントと、
を備えるデバイス。
【請求項１８】
１つ以上の無線通信デバイスと動作可能な、サーバをベースとするＥメールシステムであって、
ａ．リダイレクタコンポーネントであって、
ｉ．該Ｅメールシステムと関連する第１のＥメールアドレスを送信先とするＥメールメッセージを受信すると、該Ｅメールメッセージを該第１のＥメールアドレスと関連する無線通信デバイスにプッシュし、
ｉｉ．該モバイルデバイスにおいて生成されたＥメールメッセージを受信すると、該第１のＥメールアドレスを発生源のＥメールアドレスとして用いて、該受信されたＥメールメッセージを各Ｅメールメッセージ受信者へとプッシュする、
リダイレクタコンポーネントを備えるシステム。
【請求項１９】
１つ以上の無線通信デバイスと動作可能な情報システムであって、
ａ．サーバにおいて動作するＥメールシステムと、
ｂ．該Ｅメールシステムと関連するリダイレクタコンポーネントであって、
ｉ．ユーザのユーザアカウントの各々と関連する無線通信デバイスを有する該Ｅメールシステムのユーザに、Ｅメールをリダイレクトする手段であって、各ユーザアカウントは１つのＥメールアドレスにより一意的に定まる、手段と、
ｉｉ．Ｅメールメッセージが作成され、無線通信デバイスから送信される場合、ユーザのＥメールアドレスを発生源のＥメールアドレスとして用いる手段と、
を備えるリダイレクタコンポーネントと、
を備える情報システム。
【請求項２０】
前記Ｅメールシステムは、
ａ．入来情報格納部と、
ｂ．送出情報格納部であって、前記無線通信デバイスから送信される１つ以上の前記Ｅメールメッセージが該送出情報格納部に格納される、送出情報格納部と、
をさらに備える、請求項１８に記載のシステム。